(57)【要約】      （修正有）【課題】後の運用・保守の利便性と機器の動作の安全性を向上させることができるリターンケーブルセグメント用早期警報システムを提供する。【解決手段】システムプラットフォーム４、４Ｇ通信モジュール５、インテリジェントデータ監視ホスト１、無線ＲＦセンサー６及び分散してインストールされたいくつかのセグメント用早期警報装置２を備える。セグメント用早期警報装置には嵌め込み型振動センサー、アラーム、給電モジュール及び測位アンテナが設けられ、給電モジュールがバッテリーを含み、測位アンテナにより、セグメント用早期警報装置が自動的に測位し且つ現在の位置を周期的にアップロードし、セグメント用早期警報装置が無線ＲＦセンサーを介してインテリジェントデータ監視ホストに無線で接続され、システムプラットフォームが４Ｇ通信モジュールを介してインテリジェントデータ監視ホストに通信接続される。【選択図】図１
0003229755.tif 000002
【実用新案登録請求の範囲】
【請求項１】
リターンケーブルセグメント用早期警報システムであって、システムプラットフォーム、４Ｇ通信モジュール、インテリジェントデータ監視ホスト、ＺｉｇＢｅｅセンサー及び分散してインストールされたいくつかのセグメント用早期警報装置を備え、前記セグメント用早期警報装置には嵌め込み型振動センサー、アラーム、給電モジュール及び測位アンテナが設けられ、前記給電モジュールがバッテリーを含み、測位アンテナにより、セグメント用早期警報装置が自動的に測位し且つ現在の位置を周期的にアップロードし、前記セグメント用早期警報装置がＺｉｇＢｅｅセンサーを介してインテリジェントデータ監視ホストに無線で接続され、前記システムプラットフォームが４Ｇ通信モジュールを介してインテリジェントデータ監視ホストに通信接続されることを特徴とするリターンケーブルセグメント用早期警報システム。
【請求項２】
前記給電モジュールはさらに太陽光発電装置を含むことを特徴とする請求項１に記載のリターンケーブルセグメント用早期警報システム。
【請求項３】
前記給電モジュールはさらにＣＴ電力取得装置を含むことを特徴とする請求項２に記載のリターンケーブルセグメント用早期警報システム。
【請求項４】
前記バッテリーは充電式リチウムバッテリーであることを特徴とする請求項１に記載のリターンケーブルセグメント用早期警報システム。
【請求項５】
前記埋め込み型振動センサーは超低周波音波振動センサーであることを特徴とする請求項１に記載のリターンケーブルセグメント用早期警報システム。
【請求項６】
前記セグメント用早期警報装置には亜鉛メッキ鋼又はステンレス鋼で作られたボックス本体が設けられることを特徴とする請求項１−５のいずれか一項に記載のリターンケーブルセグメント用早期警報システム。
【請求項７】
前記測位アンテナは、ＧＰＳ測位アンテナであることを特徴とする請求項６に記載のリターンケーブルセグメント用早期警報システム。
【請求項８】
前記測位アンテナには絶縁プラスチック材料外層が設けられることを特徴とする請求項７に記載のリターンケーブルセグメント用早期警報システム。
【請求項９】
各インテリジェントデータ監視ホストには少なくとも３つのセグメント用早期警報装置が接続されていることを特徴とする請求項６に記載のリターンケーブルセグメント用早期警報システム。
【考案の詳細な説明】
【技術分野】
【０００１】
本考案は電力機器技術分野に関し、特にリターンケーブル盗難防止用早期警報システムに関する。
【背景技術】
【０００２】
現在、情報技術の発展と電力機器が動作する時に受ける様々な外部環境要因の影響に伴い、従来の電力監視機器には次の欠点がある。１、データ伝送への制限：警報モジュールと監視ホストが有線で接続されて通信するため、距離が制限され、インストールが不便であり、光ファイバを用いて通信すると、建設工事現場に通信用光ケーブルを敷設する必要があり、面倒である。２、給電への制限：警報モジュールがアクティブ電源で給電されるため、給電欠点が存在し、定期的なメンテナンスが必要であり、ＣＴ／ＰＴセンシング電源と一般的なバッテリーを組合わせて用いると、給電の安定性が十分ではない。
【０００３】
そのため、監視機器は、総合的に改革する必要があり、安定性を高めるとともに、総合的な防護性能を向上させ、通信機器を介して関連監視データをサーバーに送信して関連作業者に通知する必要もある。電力におけるリターンケーブル盗難防止監視機能を監視するための無線リターンケーブル監視機器の設計及び開発は、国家電力機器の安定且つ安全な動作を改善し、社会的及び経済的発展を加速する上で非常に重要かつ積極的な役割を果たす。
【考案の概要】
【考案が解決しようとする課題】
【０００４】
本考案が解決しようとする技術的問題は、保護範囲内にいかなる給電回線及び通信回線を敷設する必要がなく、様々なケーブルチャネル、ワークウェル、ジョイントウェル、野外環境、境界線などの給電回線の敷設が不便な場所に広く応用されてもよく、且つ周辺環境の変更により関係者が機器を見つけることが困難な状況を回避することができる、リターンケーブルセグメント用早期警報システムを提供することである。
【課題を解決するための手段】
【０００５】
上記技術的問題を解決するために、本考案は次の技術的解決策を採用する。リターンケーブルセグメント用早期警報システムは、システムプラットフォーム、４Ｇ通信モジュール、インテリジェントデータ監視ホスト、ＺｉｇＢｅｅセンサー及び分散してインストールされたいくつかのセグメント用早期警報装置を備え、前記セグメント用早期警報装置には嵌め込み型振動センサー、アラーム、給電モジュール及び測位アンテナが設けられ、前記給電モジュールがバッテリーを含み、測位アンテナにより、セグメント用早期警報装置が自動的に測位し且つ現在の位置を周期的にアップロードし、前記セグメント用早期警報装置がＺｉｇＢｅｅセンサーを介してインテリジェントデータ監視ホストに無線で接続され、前記システムプラットフォームが４Ｇ通信モジュールを介してインテリジェントデータ監視ホストに通信接続される。
好ましくは、前記給電モジュールはさらに太陽光発電装置を含む。
好ましくは、前記給電モジュールはさらにＣＴ電力取得装置を含む。
好ましくは、前記バッテリーは充電式リチウムバッテリーである。
好ましくは、前記埋め込み型振動センサーは超低周波音波振動センサーである。
好ましくは、前記セグメント用早期警報装置には亜鉛メッキ鋼又はステンレス鋼で作られたボックス本体が設けられる。
好ましくは、前記測位アンテナは、ＧＰＳ測位アンテナである。
好ましくは、前記測位アンテナには絶縁プラスチック材料外層が設けられる。
好ましくは、各インテリジェントデータ監視ホストには少なくとも３つのセグメント用早期警報装置が接続されている。
本考案は、上記技術的解決策を採用し、次の有益な効果を有する。
【０００６】
セグメント用早期警報装置は、動作しているケーブルの動作状態、盗難、変位などの状況の有無をリアルタイムで監視する。セグメント用早期警報装置とインテリジェントデータ監視ホストの間にＺｉｇＢｅｅ無線ＲＦ技術が用いられ、有線接続が必要ではなく、これにより、機器の綺麗なレイアウトが実現され、有線配線の誤接続が発生する可能性があり、レイアウトが地理的影響を大きく受けるという欠点が回避される。且つ１つのモニタリングホストは３つ以上の警報モジュールと同時に通信することができ、最大通信距離が１．５キロメートルに達することができる。
【０００７】
インテリジェントデータ監視ホストとシステムプラットフォームの間に４Ｇ通信伝送が採用され、これにより、データ伝送の安定性が確保され、他の様々な機器との将来の互換性のための強力な技術チャネルを提供する。
【０００８】
電力取得方面において太陽光発電装置、リチウムバッテリーが組合わせられて給電し、且つ電源の拡張を行い、例えばＣＴ電力取得装置を追加することができ、元の電源の出力が機器の動作のための電気エネルギーを満たしない時に、複数のＣＴ電力取得装置を追加することにより、電気エネルギーの供給を確保する。
【０００９】
嵌め込み型振動センサーが用いられ、その姿勢、位置又は状態が異常に変化すると、センサーによってすぐに感知し、そしてアラームによって近くのインテリジェントデータ監視ホストに警報情報を送信し、インテリジェントデータ監視ホストは、ＺｉｇＢｅｅ技術により関連信号を受信してデータ処理を完了し、４Ｇネットワークを介して情報をシステムプラットフォームに送信し、システムプラットフォームは、セグメント用早期警報装置のコード、番号及び位置情報をＧＩＳマップと組み合わせて、監視オブジェクトの位置及び状態を迅速に判定し、警報を発して電力部門管理センターに通知する。
【００１０】
元の機器では、配置ポイントを手動で収集してバックグラウンドに入力する必要があり、途中で漏れ、エラーの確率が存在する可能性もある。現在、セグメント用早期警報装置の測位機能が測位アンテナにより実現され、これにより、インテリジェントデータ監視ホストは、機器の現在の位置情報を取得してシステムプラットフォームに送信することができる。位置情報を手動で記録する従来の作業が不要になり、且つ周辺環境の変更により関係者が機器を見つけることが困難な状況を回避し、後の運用・保守の利便性と機器の動作の安全性を向上させる。
本考案の具体的な技術的解決策及びその有益な効果は以下の具体的な実施形態で図面と組み合わせて詳細に説明される。
【図面の簡単な説明】
【００１１】
以下に図面と具体的な実施例と組み合わせて本考案をさらに説明する。
【図１】本考案の構造概略図である。
【００１２】
図では、１−インテリジェントデータ監視ホスト、２−セグメント用早期警報装置、３−サーバー、４−システムプラットフォーム、５−４Ｇ通信モジュール、６−ＺｉｇＢｅｅセンサー。
【考案を実施するための形態】
【００１３】
以下に本考案の実施形態の図面と組み合わせて本考案の実施形態における技術的解決策を明確且つ完全に説明し、明らかに、説明される実施形態は本考案の実施形態の一部だけであり、全ての実施形態ではない。以下の少なくとも１つの例示的な実施形態に対する説明は実際には説明的に過ぎず、本考案及びその応用又は使用に対するいかなる制限と見なされるものではない。本考案における実施形態に基づき、当業者が創造的な労力を要せずに得る全ての他の実施形態は、本考案の保護範囲に属する。
当業者は、下記の実施形態及び実施形態の特徴が、衝突しない場合で互いに組み合わせられてもよいことを理解することができる。
【００１４】
図１に示すように、リターンケーブルセグメント用早期警報システムは、インテリジェントデータ監視ホスト１、セグメント用早期警報装置２、サーバー３、システムプラットフォーム４、４Ｇ通信モジュール５とＺｉｇＢｅｅセンサー６を備える。前記セグメント用早期警報装置２には嵌め込み型振動センサー、アラームが設けられる。
【００１５】
ここで、前記インテリジェントデータ監視ホスト１は４Ｇ通信モジュール５を介してサーバー３、システムプラットフォーム４に接続される。セグメント用早期警報装置２は、嵌め込み型振動センサーにより、動作しているケーブルの動作状態、盗難、変位などの状況の有無をリアルタイムで監視し、アラームにより近くのインテリジェントデータ監視ホスト１に警報情報を送信する。さらに４Ｇ通信モジュール５により、情報をシステムプラットフォーム４に伝送し、高速警報機能を達成する。各インテリジェントデータ監視ホスト１には少なくとも３つのセグメント用早期警報装置２が接続されている。インテリジェントデータ監視ホスト１とシステムプラットフォーム４の間に４Ｇ通信伝送が採用され、これにより、データ伝送の安定性が確保され、他の様々な機器との将来の互換性のための強力な技術チャネルを提供する。
【００１６】
本実施形態では、前記セグメント用早期警報装置２はＺｉｇＢｅｅセンサー６に接続され、前記ＺｉｇＢｅｅセンサー６はインテリジェントデータ監視ホスト１に接続され、インテリジェントデータ監視ホスト１はＺｉｇＢｅｅ技術により、セグメント用早期警報装置２から発された信号を受信してデータ処理を完了する。セグメント用早期警報装置２とインテリジェントデータ監視ホスト１の間にＺｉｇＢｅｅ無線ＲＦ技術が用いられ、有線接続が必要ではなく、これにより、機器の綺麗なレイアウトが実現され、有線配線の誤接続が発生する可能性があり、レイアウトが地理的影響を大きく受けるという欠点が回避される。且つ１つのモニタリングホストは３つ以上の警報モジュールと同時に通信することができ、最大通信距離が１．５キロメートルに達することができる。
【００１７】
元の機器では、配置ポイントを手動で収集してバックグラウンドに入力する必要があり、途中で漏れ、エラーの確率が存在する可能性もある。この欠点を克服するために、さらに、前記セグメント早期警報装置２には測位アンテナが設けられ、且つ前記測位アンテナはＧＰＳ測位アンテナであってもよい。セグメント用早期警報装置２の測位機能が測位アンテナにより実現され、これにより、インテリジェントデータ監視ホスト１は、機器の現在の位置情報を取得してシステムプラットフォーム４に送信することができる。システムプラットフォームはセグメント用早期警報装置のコード、番号と位置情報をＧＩＳマップと組み合わせて、監視オブジェクトの位置及び状態を迅速に判定し、警報を発して電力部門管理センターに通知することができる。位置情報を手動で記録する従来の作業が不要になり、且つ周辺環境の変更により関係者が機器を見つけることが困難な状況を回避し、後の運用・保守の利便性と機器の動作の安全性を向上させる。
【００１８】
前記セグメント用早期警報装置２には給電モジュールが設けられて給電し、前記給電モジュールはバッテリー、例えば充電式リチウムバッテリーを含み、当然、太陽光発電装置及びＣＴ電力取得装置を更に含むことができる。元のリチウムバッテリー及び太陽光電源の出力が機器の動作のための電気エネルギーを満たしない時に、複数のＣＴ電力取得装置を追加することにより、電気エネルギーの供給を確保する。
１つの実施形態として、前記埋め込み型振動センサーは超低周波音波振動センサーである。
【００１９】
また、前記セグメント用早期警報装置には亜鉛メッキ鋼又はステンレス鋼で作られたボックス本体が設けられる。前記測位アンテナには絶縁プラスチック材料外層が設けられる。
【００２０】
上記は、本考案の具体的な実施形態だけであるが、本考案の保護範囲はこれに限定されなく、当業者は、本考案が以上の具体的な実施形態で説明される内容を含むがこれに限定されないことを理解すべきである。本考案の機能と構造原理から逸脱しない如何なる修正は全て特許請求の範囲に含まれる。
【図１】
0003229755.tif 000003
【手続補正書】
【提出日】令和2年7月31日(2020.7.31)
【手続補正１】
【補正対象書類名】実用新案登録請求の範囲
【補正対象項目名】全文
【補正方法】変更
【補正の内容】
【実用新案登録請求の範囲】
【請求項１】
リターンケーブルセグメント用早期警報システムであって、システムプラットフォーム、４Ｇ通信モジュール、インテリジェントデータ監視ホスト、ＺｉｇＢｅｅセンサー及び分散してインストールされたいくつかのセグメント用早期警報装置を備え、前記セグメント用早期警報装置には嵌め込み型振動センサー、アラーム、給電モジュール及び測位アンテナが設けられ、前記給電モジュールがバッテリーを含み、測位アンテナにより、セグメント用早期警報装置が自動的に測位し且つ現在の位置を周期的にアップロードし、前記セグメント用早期警報装置が無線ＲＦセンサーを介してインテリジェントデータ監視ホストに無線で接続され、前記システムプラットフォームが４Ｇ通信モジュールを介してインテリジェントデータ監視ホストに通信接続されることを特徴とするリターンケーブルセグメント用早期警報システム。
【請求項２】
前記給電モジュールはさらに太陽光発電装置を含むことを特徴とする請求項１に記載のリターンケーブルセグメント用早期警報システム。
【請求項３】
前記給電モジュールはさらにＣＴ電力取得装置を含むことを特徴とする請求項２に記載のリターンケーブルセグメント用早期警報システム。
【請求項４】
前記バッテリーは充電式リチウムバッテリーであることを特徴とする請求項１に記載のリターンケーブルセグメント用早期警報システム。
【請求項５】
前記埋め込み型振動センサーは超低周波音波振動センサーであることを特徴とする請求項１に記載のリターンケーブルセグメント用早期警報システム。
【請求項６】
前記セグメント用早期警報装置には亜鉛メッキ鋼又はステンレス鋼で作られたボックス本体が設けられることを特徴とする請求項１−５のいずれか一項に記載のリターンケーブルセグメント用早期警報システム。
【請求項７】
前記測位アンテナは、ＧＰＳ測位アンテナであることを特徴とする請求項６に記載のリターンケーブルセグメント用早期警報システム。
【請求項８】
前記測位アンテナには絶縁プラスチック材料外層が設けられることを特徴とする請求項７に記載のリターンケーブルセグメント用早期警報システム。
【請求項９】
各インテリジェントデータ監視ホストには少なくとも３つのセグメント用早期警報装置が接続されていることを特徴とする請求項６に記載のリターンケーブルセグメント用早期警報システム。
【手続補正書】
【提出日】令和2年9月30日(2020.9.30)
【手続補正１】
【補正対象書類名】実用新案登録請求の範囲
【補正対象項目名】全文
【補正方法】変更
【補正の内容】
【実用新案登録請求の範囲】
【請求項１】
リターンケーブルセグメント用早期警報システムであって、システムプラットフォーム、４Ｇ通信モジュール、インテリジェントデータ監視ホスト、無線ＲＦセンサー及び分散してインストールされたいくつかのセグメント用早期警報装置を備え、前記セグメント用早期警報装置には嵌め込み型振動センサー、アラーム、給電モジュール及び測位アンテナが設けられ、前記給電モジュールがバッテリーを含み、測位アンテナにより、セグメント用早期警報装置が自動的に測位し且つ現在の位置を周期的にアップロードし、前記セグメント用早期警報装置が無線ＲＦセンサーを介してインテリジェントデータ監視ホストに無線で接続され、前記システムプラットフォームが４Ｇ通信モジュールを介してインテリジェントデータ監視ホストに通信接続されることを特徴とするリターンケーブルセグメント用早期警報システム。
【請求項２】
前記給電モジュールはさらに太陽光発電装置を含むことを特徴とする請求項１に記載のリターンケーブルセグメント用早期警報システム。
【請求項３】
前記給電モジュールはさらにＣＴ電力取得装置を含むことを特徴とする請求項２に記載のリターンケーブルセグメント用早期警報システム。
【請求項４】
前記バッテリーは充電式リチウムバッテリーであることを特徴とする請求項１に記載のリターンケーブルセグメント用早期警報システム。
【請求項５】
前記埋め込み型振動センサーは超低周波音波振動センサーであることを特徴とする請求項１に記載のリターンケーブルセグメント用早期警報システム。
【請求項６】
前記セグメント用早期警報装置には亜鉛メッキ鋼又はステンレス鋼で作られたボックス本体が設けられることを特徴とする請求項１−５のいずれか一項に記載のリターンケーブルセグメント用早期警報システム。
【請求項７】
前記測位アンテナは、ＧＰＳ測位アンテナであることを特徴とする請求項６に記載のリターンケーブルセグメント用早期警報システム。
【請求項８】
前記測位アンテナには絶縁プラスチック材料外層が設けられることを特徴とする請求項７に記載のリターンケーブルセグメント用早期警報システム。
【請求項９】
各インテリジェントデータ監視ホストには少なくとも３つのセグメント用早期警報装置が接続されていることを特徴とする請求項６に記載のリターンケーブルセグメント用早期警報システム。